(57)【特許請求の範囲】
【請求項１】
カメラに加わる振動によって生じる像ぶれを補正する防振レンズを有する防振ユニットが着脱自在に装着されるテレビレンズ装置において、
該テレビレンズ装置は、前記防振ユニットに内蔵されているレンズ群の作用による拡大倍率を相殺する倍率変換作用を有する補正レンズ系を備え、
前記拡大倍率を有する防振ユニットが装着された場合に、前記補正レンズ系を撮影光軸上に配置し、当該防振ユニットと前記補正レンズ系との組合せで前記防振ユニットの拡大倍率を相殺することにより、当該防振ユニットが装着されていない時と等価の結像サイズを得ることを特徴とするテレビレンズ装置。
【請求項２】
前記テレビレンズ装置は、撮像倍率を変換するエクステンダー光学系が内蔵され、前記補正レンズ系は前記エクステンダー光学系を切り替えるエクステンダー切替装置に組み込まれていることを特徴とする請求項１に記載のテレビレンズ装置。
【請求項３】
前記エクステンダー切替装置には、各エクステンダー倍率に対応して倍率の異なる複数の補正レンズ系が組み込まれていることを特徴とする請求項２に記載のテレビレンズ装置。
【請求項４】
前記テレビレンズ装置は、防振ユニットの装着の有無を検出する装着判別手段と、
前記装着判別手段で前記防振ユニットの装着を検出した場合に、対応する補正レンズ系を自動的に撮影光軸上に挿入するように前記エクステンダー切替装置を作動させる制御手段と、を備えたことを特徴とする請求項２又は３に記載のテレビレンズ装置。
【請求項５】
前記補正レンズ系を撮影光軸上に挿入した状態と、撮影光路上から退避させた状態とを選択する指示を与える選択手段を具備したことを特徴とする請求項２又は３に記載のテレビレンズ装置。
【請求項６】
前記補正レンズ系は、前記テレビレンズ装置の前玉側の前端部分又は後玉側の後端部分に着脱可能な外付け型ユニットとして構成されていることを特徴とする請求項１に記載のテレビレンズ装置。
【請求項７】
前記補正レンズ系が撮影光軸上に挿入されていることを示す表示手段を備えたことを特徴とする請求項１乃至６の何れか１項に記載のテレビレンズ装置。
【請求項８】
前記補正レンズ系を撮影光軸上に挿入させる指令信号、及び前記補正レンズ系を撮影光軸上から退避させる指令信号のうち少なくとも一方の指令信号を発生させるリモートコントロール用操作手段を備えたことを特徴とする請求項２乃至５の何れか１項に記載のテレビレンズ装置。
【発明の詳細な説明】
【０００１】
【発明の属する技術分野】
本発明はテレビレンズ装置に係り、特に、カメラに加わった振動によって生じる像ぶれを補正する防振レンズを備えた光学シフト式防振ユニットと組み合わせて使用されるテレビレンズ装置に関する。
【０００２】
【従来の技術】
テレビカメラの分野では、撮影光学系にエクステンダーレンズを挿入して像倍率を拡大する方法が従来から知られている。特開昭６３−２０１６２４号公報によれば、防振装置（像ぶれ補正装置）が組み込まれたエクステンダーレンズが開示されており、エクステンダー光学系の挿入によって、像の拡大作用と同時に、像ぶれの防止を実現している。
【０００３】
特開平６−２３０２７９号公報は、有効撮像面のアスペクト比を切り替え可能なテレビカメラに使用されるズームレンズを開示している。このズームレンズは、アスペクト比の切り替えに伴う画角変化及び像面位置の変化を防止する変換レンズ群を有し、この変換レンズ群は内蔵エクステンダーのターレット上に組み込まれている。
【０００４】
特開平６−１８９１８１号公報には、カメラとレンズ装置との間に着脱自在に装着される中間アダプタ（防振ユニット）が開示されている。この中間アダプタは、内部に防振レンズに相当する可変頂角プリズム、振れ検出センサ、及び可変頂角プリズム駆動回路等が設けられ、振れ検出センサで検出された振れ情報に基づいて可変頂角プリズム駆動回路が可変頂角プリズムを移動させて光軸を偏心させることにより像ぶれを補正する。また、特開平１１−２８４９００号公報にも、検出した振動に応じて可動レンズを移動制御して像ブレを防止する防振装置（防振ユニット）が開示されている。
【０００５】
【発明が解決しようとする課題】
上記のような光学シフト式の防振ユニットを使用すると、ユニットに内蔵されているレンズの作用によって結像サイズが変化する。例えば、広角性能に特徴があるテレビレンズに１．２５倍の拡大倍率を有する防振ユニットを装着すると、防振ユニットを装着しない状態に比べて、焦点距離が１．２５倍に拡大されるため、ワイド側が狭くなり、レンズ本来の性能を確保できないという問題が生じる。
【０００６】
本発明はこのような事情に鑑みてなされたもので、防振ユニット装着時においても、防振ユニットが装着されていない状態と同等の結像サイズを得ることができるテレビレンズ装置を提供することを目的とする。
【０００７】
【課題を解決するための手段】
本発明は前記目的を達成するために、カメラに加わる振動によって生じる像ぶれを補正する防振レンズを有する防振ユニットが着脱自在に装着されるテレビレンズ装置において、該テレビレンズ装置は、前記防振ユニットに内蔵されているレンズ群の作用による拡大倍率を相殺する倍率変換作用を有する補正レンズ系を備え、前記拡大倍率を有する防振ユニットが装着された場合に、前記補正レンズ系を撮影光軸上に配置し、当該防振ユニットと前記補正レンズ系との組合せで前記防振ユニットの拡大倍率を相殺することにより、当該防振ユニットが装着されていない時と等価の結像サイズを得ることを特徴としている。
【０００８】
本発明によれば、防振ユニットを装着した場合、当該防振ユニットに内蔵された防振レンズの作用による拡大倍率を相殺するような倍率変換作用を有する補正レンズ系を撮影光軸上に配置する。これにより、防振ユニットの装着時にも非装着時と同等の像倍率が達成される。
【０００９】
本発明の一態様によれば、前記テレビレンズ装置は、撮像倍率を変換するエクステンダー光学系が内蔵され、前記補正レンズ系は前記エクステンダー光学系を切り替えるエクステンダー切替装置に組み込まれていることを特徴としている。この場合、前記エクステンダー切替装置には、各エクステンダー倍率に対応して倍率の異なる複数の補正レンズ系が組み込まれていることが好ましい。
【００１０】
本発明の他の態様によれば、上記構成に加えて、防振ユニットの装着の有無を検出する装着判別手段と、前記装着判別手段で前記防振ユニットの装着を検出した場合に、対応する補正レンズ系を自動的に撮影光軸上に挿入するように前記エクステンダー切替装置を作動させる制御手段と、を備えたことを特徴としている。
【００１１】
かかる態様のテレビレンズ装置によれば、防振ユニットの装着を自動判別し、ユニット装着時には、必要な補正レンズ系が自動的に撮影光軸上に挿入されるので、特別な操作が不要である。
【００１２】
本発明の更に他の態様によれば、上記構成のテレビレンズ装置において、更に、前記補正レンズ系を撮影光軸上に挿入した状態と、撮影光路上から退避させた状態とを選択する指示を与える選択手段を具備したことを特徴としている。このように、カメラマンの意思により補正レンズ系の挿入／退避を自由に選択できる態様も好ましい。
【００１３】
補正レンズ系は、上記のようにレンズ装置に内蔵する態様以外にも、テレビレンズ装置の前方（前玉側）又は後方（後玉側）に着脱可能な外付け型ユニットとして構成する態様もある。
【００１４】
本発明のテレビレンズ装置において、前記補正レンズ系が撮影光軸上に挿入されていることを示す表示手段を付加する態様も好ましい。また、前記補正レンズ系を撮影光軸上に挿入させる指令信号、及び前記補正レンズ系を撮影光軸上から退避させる指令信号のうち少なくとも一方の指令信号を発生させるリモートコントロール用操作手段を備え、補正レンズ系の挿入／退避を遠隔制御可能な態様も好ましい。
【００１５】
【発明の実施の形態】
以下添付図面に従って本発明に係るテレビレンズ装置の好ましい実施の形態について説明する。
【００１６】
図１及び図２には、光学シフト式の防振ユニット１０が装着されたテレビカメラ装置１２が示されている。このテレビカメラ装置１２は、一軸二操作式の操作方式によってズーム操作及びフォーカス操作を行うことができる装置であり、ＥＦＰレンズ装置（以下、レンズ装置という。）１４、防振ユニット１０、及びカメラ本体１６を主として構成されている。
【００１７】
カメラ本体１６は、三脚又はペデスタル１８の上部に設けられた雲台２０に着脱自在に取り付けられている。操作棒２２は、レンズ装置１４に対して着脱可能であり、カメラ本体１６及び防振ユニット１０を貫通して配設される。操作棒２２は、カメラ本体１６に形成された操作棒挿通穴１６Ａに通され、操作棒２２の先端部はレンズ装置１４の不図示のレンズ駆動部に接続される。
【００１８】
カメラマンは、カメラ本体１６の上部に設置されているビューファインダ２４に映る映像を見ながら、操作棒２２のグリップ２３を把持し、操作棒２２を押し引き操作することでズーム操作を行うことができ、また、グリップ２３を回転操作し、操作棒２２を回転させることでフォーカス調整を行うことができる。
【００１９】
雲台２０から延設されたパン／チルト棒２５Ａ、２５Ｂには、ズームレートデマンド２６とフォーカスポジションデマンド２８を設置することができる。カメラマンは、ズームレートデマンド２６のサムリング２６Ａを親指で回動操作することによりズーム操作を行うことができ、フォーカスポジションデマンド２８のフォーカスノブ２８Ａを回動操作することでフォーカス操作を行うことができる。
【００２０】
ズームレートデマンド２６からはサムリング２６Ａの操作方向及び操作量に応じてズーム速度を指令するズーム速度指令信号が出力され、フォーカスポジションデマンド２８からはフォーカスノブ２８Ａの回転位置に応じてフォーカス位置を指令するフォーカス位置指令信号が出力される。これらの指令信号はケーブル２６Ｂ、２８Ｂを介してレンズ装置１４に送信される。
【００２１】
ズームレートデマンド２６やフォーカスポジションデマンド２８等のコントローラと操作棒２２とを併設した場合には、操作棒２２によるレンズ操作方式と、ズームレートデマンド２６やフォーカスポジションデマンド２８によるレンズ操作方式を切り替える図示せぬ切替手段が設けられ、該切替手段によって操作方式を選択することができる。なお、操作棒２２の動きを電気的に検出してズームやフォーカスをサーボ駆動する態様も可能であり、操作棒２２を手動操作方式及びサーボ方式の操作手段として兼用し、その役割を切替手段によって切り替えることも可能である。かかる手動／サーボ兼用の操作装置は、本出願人から提案されている（特願平１１−１３８６１６号）。勿論、ズームレートデマンド２６やフォーカスポジションデマンド２８等のコントローラを用いる場合、操作棒２２を省略する態様も可能である。
【００２２】
図３は、テレビカメラ装置１２の光学系の構成図である。レンズ装置１４は、撮影光軸Ｌの前方から順に、フォーカスレンズ群３０、変倍レンズ群３２、絞り３４、エクステンダー機構３６、及びリレーレンズ群３８を有する。防振ユニット１０は、第１固定レンズ４０、可動レンズ４２及び第２固定レンズ４４を備えている。
【００２３】
この防振ユニット１０は、テレビカメラ装置１２が屋外のスポーツ中継や不安定な足場上で使用される際に、必要に応じてレンズ装置１４に着脱されるアダプタであり、図２で示したように、レンズ装置１４とカメラ本体１６の間に装着される。なお、ハンディカメラを使用する場合には、レンズサポータ（不図示）が用いられ、レンズサポータを介して防振ユニット１０とレンズ装置１４、又は防振ユニット１０とカメラ本体１６が接続される。例えば、防振ユニット１０の後面をレンズサポータの前面に接続し、レンズサポータを介して防振ユニットのバヨネットマウントをカメラに接続する態様や、特開平１１−２８４９００号公報に示されているように、防振ユニットの前面をレンズサポータの後面に接続し、防振ユニットのバヨネットマウントをカメラに直接的に接続する態様もある。
【００２４】
レンズ装置１４を介して入射した被写体光は、カメラ本体１６内の色分解プリズム５０によってＲ（赤）、Ｇ（緑）、Ｂ（青）の各色成分に分解される。各色成分に分解された被写体光は、それぞれＣＣＤ５２、５３、５４等の撮像素子によって電気信号に変換される。各ＣＣＤ５２、５３、５４から出力された信号は、周知の画像信号処理手段によって処理され、テレビ画面に被写体像の像が映し出されることになる。
【００２５】
色分解プリズム５０のダイクロイック膜５０Ａに対し、所定の角度以上の入射角度で被写体光が入射するとホワイトシェーディングを生じることから、かかる不具合が生じないように、テレビレンズの射出瞳位置は、ある定められた条件を満たす必要がある。
【００２６】
防振ユニット１０を装着した時の射出瞳位置を、ユニット非装着状態における射出瞳位置に近づけるためには、防振ユニット１０側が拡大倍率とならざるを得ない。本例の防振ユニット１０は、第１固定レンズ４０、可動レンズ４２及び第２固定レンズ４４から成る防振レンズ群４６の作用によって１．２５倍の拡大倍率を有している。なお、この焦点距離の拡大倍率（１．２５倍）は、防振ユニット１０の厚み寸法に応じて適宜変更される。
【００２７】
図４は、エクステンダー機構３６のターレット６０の正面図である。同図に示すように、ターレット６０には、１倍、２倍、０．８倍、及び１．６倍の４種類の変換レンズ６２、６４、６６、６８が取り付けられている。ターレット６０は軸７０を中心に回動自在に支持されており、ターレット６０を回動させることにより、何れか一つの変換レンズを撮影光軸Ｌ上に配置することができる。
【００２８】
図５には、像倍率の対応表が示されている。テレビレンズに内蔵されている標準的なエクステンダーレンズは、「１倍」と「２倍」の二種類であり、有効撮像面のアスペクト比を「１６：９」と「４：３」に切り替え可能なカメラに使用できるテレビレンズ装置の場合には、「０．８倍」のレシオコンバータを備えている。
【００２９】
かかるテレビレンズに１．２５倍の拡大倍率を有する防振ユニット１０を装着すると、使用する変換レンズ（エクステンダーレンズ又はレシオコンバータ）の種類に応じて像倍率は、１．２５倍、２．５倍、又は１倍となる。
【００３０】
防振ユニット１０を装着した状態で１倍、２倍、０．８倍の各像倍率を達成するためには、倍率補正光学系として、０．８倍、１．６倍、０．６４倍の補正レンズが必要とされる。図３に示した例では、補正レンズとして１．６倍の変換レンズ６８を具備しているが、０．６４倍の変換レンズを追加する態様も可能である。また、０．８倍の変換レンズ６６は、アスペクト比変換用のレシオコンバータとして機能するとともに、防振ユニット１０の倍率補正用のレンズとして兼用される。
【００３１】
図６は、本実施形態によるレンズ装置１４及び防振ユニット１０の要部構成を示すブロック図である。レンズ装置１４は、ターレット６０を回転駆動するエクステンダー切替駆動部７２と、選択されている変換レンズの種類を判別するためのエクステンダー判別装置７４と、防振ユニット１０の装着／非装着を検出する防振ユニット装着判別装置７６と、現在のレンズ状態を表示する表示装置７８と、各回路部の制御を司る制御回路８０と、を備えている。
【００３２】
エクステンダー切替駆動部７２は、図示せぬモータと回転位置検出センサとを含み、制御回路８０からの制御信号に基づいて作動する。エクステンダー切替駆動部７２の動力によってターレット６０が回動することにより、所望の変換レンズが撮影光軸Ｌ上に配置される。
【００３３】
エクステンダー判別装置７４は、ターレット６０の回転位置を検出する手段（例えば、フォトインタラプタ又はマイクロスイッチなど）を含む。エクステンダー判別装置７４の検出信号（判別信号）は制御回路８０に送られ、制御回路８０はその判別信号に基づいて現在撮影光軸Ｌ上に配置されている変換レンズの倍率を把握する。
【００３４】
防振ユニット装着判別装置７６としては、例えば、感圧型接点、又はフォトインタラプタなどのセンサを用いることができる。また、このようなセンサに代えて、防振ユニット１０の防振機構８４を制御するＣＰＵ９０のアンサ信号を利用してもよい。
【００３５】
制御回路８０は、エクステンダー切替信号発生手段９２（図１７に示したエクステンダー切替用スイッチ２００に相当）から受入する切替信号に基づいて、エクステンダー切替駆動部７２を動作させる制御信号（動作制御信号）を出力する。エクステンダー切替信号発生手段９２は、ズームレートデマンド２６等のコントローラに設けてもよいし、カメラ側の操作部に設けてもよい。
【００３６】
また、制御回路８０は、図示せぬレンズ駆動部及びアイリス駆動部を制御して、フォーカスレンズ３０、変倍レンズ３２及び絞り３４の駆動制御を行うとともに、エクステンダー判別装置７４から受入する判別信号や、防振ユニット装着判別装置７６から受入する装着信号等に基づいて、レンズ状態を示す情報を表示装置７８に表示させる制御信号を出力し、表示装置７８の表示制御を行う。
【００３７】
一方、防振ユニット１０は、振動を検出するセンサ（例えば、角速度センサ）９６と、可動レンズ４２を撮影光軸Ｌに直交する面内で移動させる防振機構８４と、角速度センサ９６の検出信号に基づいて防振機構８４を制御するＣＰＵ９０と、を備えている。
【００３８】
ＣＰＵ９０は、角速度センサ９６から受入した検出信号に基づいて可動レンズ４２に与えるべき左右方向及び上下方向の補正移動量を演算し、その演算結果が示す補正移動量だけ可動レンズ４２を移動させる指令信号を出力する。
【００３９】
防振機構８４は、リニアモータ１００、位置センサ１０２、及びアンプ１０４を含む。ＣＰＵ９０から出力された指令信号は、アンプ１０４で増幅された後、リニアモータ１００に出力される。リニアモータ１００は、ＣＰＵ９０からの指令信号に応じた量だけロッドを伸長又は収縮させるように作動し、可動レンズ４２を像ぶれ補正位置に移動させる。これにより、上下方向及び左右方向の振動成分が可動レンズ４２の移動で相殺されて像ぶれが抑制される。
【００４０】
位置センサ１０２は、可動レンズ４２の移動位置を検出している。位置センサ１０２で検出した位置信号と、ＣＰＵ９０から出力されている補正移動量を示す信号とが比較され、その比較結果に応じた信号がアンプ１０４から出力される。こうして、リニアモータ１００は、ＣＰＵ９０が指令する補正移動量に対応する位置に可動レンズ４２を位置させるようにフィードバック制御される。
【００４１】
レンズ装置１４に防振ユニット１０が接続されると、レンズ装置１４側から焦点距離情報、エクステンダー倍率を示す情報（エクステンダー情報）などの情報が防振ユニット１０側に供給される。防振ユニット１０のＣＰＵ９０は、レンズ装置１４側から得た情報に基づいて、可動レンズ４２の制御に関する演算を行う。
【００４２】
図７は、表示装置７８における表示例を示す図である。同図（Ａ）に示すように表示装置７８はレンズ装置１４の側面部に設けられている。同図（Ｂ）に示したように、表示装置７８は、防振ユニット１０の装着の有無を示す表示部１１０と、補正レンズ系の使用有無を示す表示部１１２と、エクステンダーによる倍率情報を示す表示部１１４、１１５、１１６と、を有している。各表示部１１０、１１２、１１４、１１５、１１６の背後には図示せぬ発光ダイオード（ＬＥＤ）が配設されおり、制御回路８０によってＬＥＤの発光が制御される。防振ユニット装着時には、表示部１１０のＬＥＤが点灯し、「防振ユニット」という文字が表示される。また、防振ユニット装着状態において補正レンズ系が使用されている時には、表示部１１２のＬＥＤが点灯し、「補正レンズ系」という文字が表示される。
【００４３】
エクステンダーの倍率情報を表示する表示部１１４、１１５、１１６は、それぞれ、１倍、２倍、１．６倍の各倍率表示を示すものである。防振ユニット装着時には、エクステンダー機構３６の変換レンズ６２、６４、６６又は６８と、防振レンズ群４６との組合せによる像倍率に対応する表示部１１４、１１５、又は１１６のＬＥＤが点灯し、防振ユニット非装着時にはエクステンダー機構３６の変換レンズ６２、６４、６６又は６８による像倍率に対応する表示部１１４、１１５、又は１１６のＬＥＤが点灯する。
【００４４】
例えば、防振ユニット非装着時に、１．６倍の変換レンズ６８を使用した時には、「１．６×」を示す表示部１１６のＬＥＤが点灯する。なお、表示装置７８における表示内容を、レンズコントローラの表示部や、カメラコントローラの表示部などに表示させる態様も可能である。
【００４５】
次に、上記の如く構成されたレンズ装置１４の動作を説明する。図８は、エクステンダー切替用スイッチ等によって２倍のエクステンダーの挿入を指令した時の動作例を示すフローチャートである。
【００４６】
制御回路８０にエクステンダー切替信号が入力されると（ステップＳ８１０）、制御回路８０は、防振ユニット１０の装着の有無を判断する（ステップＳ８１２）。防振ユニット１０が装着されていない場合（ＮＯ判定時）は、ステップＳ８１４に進み、制御回路８０は、２倍エクステンダーを挿入する指令信号を出力する。この指令信号に基づいて、エクステンダー切替駆動部７２が作動し、２倍の変換レンズ６４の挿入動作が実行される（ステップＳ８１６）。次いで、ステップＳ８２２に進み、表示装置７８における２倍のエクステンダー挿入表示用のＬＥＤ（図７（Ｂ）の符号１１５で示した表示部）を点灯させる。
【００４７】
その一方、ステップＳ８１２の判定によって、防振ユニット１０が装着されている場合（ＹＥＳ判定時）は、ステップＳ８１８に進む。ステップＳ８１８において制御回路８０は、１．６倍エクステンダーを挿入する指令信号を出力する。この指令信号に基づいて、エクステンダー切替駆動部７２が作動し、１．６倍の変換レンズ６８の挿入動作が実行される（ステップＳ８２０）。こうして、１．６倍エクステンダーと防振ユニット１０の拡大倍率（１．２５倍）の組合せによって、２倍の像倍率が達成される。
【００４８】
次いで、ステップＳ８２２に進み、表示装置７８における２倍のエクステンダー挿入表示用のＬＥＤ（図７（Ｂ）の符号１１５で示した表示部）を点灯させる。また、この時、防振ユニット１０の装着情報を示す表示部１１０のＬＥＤと、補正レンズ系の作動情報を示す表示部１１２のＬＥＤとが共に点灯する。
【００４９】
これにより、防振ユニット装着時と非装着時とで結像サイズを一致させることができる。
【００５０】
上記実施の形態では、エクステンダー機構３６のターレット６０に倍率補正用のレンズを組み込んだ例を述べたが、外付け型の補正光学系をレンズ装置に着脱自在な構成とする態様も可能である。
【００５１】
図９及び図１０には、外付け型の補正光学系の例が示されている。これらの図面に示した補正光学ユニット１２０は、レンズ枠１２２に補正レンズ１２４が保持されており、レンズ枠１２２の周面には、連結固定用の締め付けネジ１２６が設けられている。また、レンズ枠１２２の端部にはユニット装着判別用の接点１２８が設けられている。
【００５２】
レンズ装置１３０の先端部分（前玉側）には、補正光学ユニット１２０を取り付けるための連結部１３２が形成されるとともに、前記接点１２８と接触可能な位置にユニット装着判別用の接点１３４が設けられている。
【００５３】
図１０に示したように、接点１２８、１３４の位置を合わせて、補正光学ユニット１２０のレンズ枠１２２を連結部１３２に嵌合させ、締め付けネジ１２６をねじ込むことにより、補正光学ユニット１２０がレンズ装置１３０に接続される。連結部１３２の周面には溝１３６が形成されており、締め付けネジ１２６の先端部が溝１３６の底面を押さえつけることで補正光学ユニット１２０がレンズ装置１３０に固定される。
【００５４】
図１１は、補正光学ユニット１２０の接点１２８の拡大図である。同図に示すように、接点１２８は、導通部材１４０がバネ１４２によって図１１上で右方向に付勢され、導通部材１４０及びバネ１４２の周囲が非導通部材１４４によって覆われた構造を有している。かかる構造によって、導通部材１４０は、レンズ枠１２２の端面から出没自在であり、補正光学ユニット１２０をレンズ装置１３０に装着した時に、レンズ装置１３０側の接点１３４に確実に接触するようになっている。
【００５５】
図１２は、接点１２８、１３４の構造を示す要部斜視図である。レンズ装置側には、二つの接点１３４Ａ、１３４Ｂが離れて配置されており、補正光学ユニット１２０装着時には、補正光学ユニット１２０の接点１２８がこれら二つの接点１３４Ａ、１３４Ｂに同時に接触することによって、接点１３４Ａ、１３４Ｂ間が導通し、装着信号がＯＮとなる。また、補正光学ユニット１２０を取り外すと接点１３４Ａ、１３４Ｂ間が非導通となって、装着信号がＯＦＦとなる。装着信号は、レンズ装置内の制御回路へ送られ、装着の有無を知らせる表示等に使用されるとともに、補正光学ユニット１２０を防振ユニットの可動レンズの移動量制御に利用される。
【００５６】
図１３には、外付け型補正光学ユニットの他の形態例が示されている。同図に示した補正光学ユニット１５０は、レンズ装置１６０後端のバヨネットマウント１６２に締め付け環１７０を用いて連結される。補正光学ユニット１５０のレンズ枠１５２には補正レンズ１５４が保持され、レンズ枠１５２の外周面には、締め付け環１７０が螺合されるネジ部１５６が形成されている。
【００５７】
補正光学ユニット１５０側には、図１１で説明した接点１４０と同様の接点１５８が設けられ、バヨネットマウント１６２には、図１２で説明した一対の接点１３４Ａ、１３４Ｂと同様の接点１６４が設けられている。締め付け環１７０によって補正光学ユニット１５０をバヨネットマウント１６２に固定すると、一対の接点１６４が導通して装着信号がＯＮになる。
【００５８】
図１４（Ａ）は、バヨネットマウント１６２の正面図であり、図１４（Ｂ）は図１３の矢印Ａ方向から見た図である。図１５には、図１３で説明した補正光学ユニット１５０を接続したレンズ装置１６０と防振ユニット１８０との連結構造が示されている。
【００５９】
防振ユニット１８０には、レンズ装置１６０の後端部に突出するバヨネットマウント１６２及びこれに連結された補正光学ユニット１５０を収納するための凹部（逃げ部）１８２が形成されており、防振ユニット１８０の装着時には、補正光学ユニット１５０部分が凹部１８２に収まり、レンズ装置１６０の後端面と防振ユニット１８０の前面が密着するようになっている。
【００６０】
図１５中、符号１８４はレンズ装置１６０に設けられている連結用のフック、符号１８６は防振ユニット１０側に設けられているフックであり、フック１８４、１８６同士を係合させることにより、レンズ装置１６０と防振ユニット１８０を接続する。
【００６１】
符号１９２、１９４は、防振ユニット１０の装着の有無を検出するための手段であり、例えば、符号１９２は、図１１で説明した接点１４０と同様の接点であり、符号１９４は、図１２で説明した一対の接点１３４Ａ、１３４Ｂと同様の接点である。また、かかる接点構造に代えて、レンズ装置１６０と防振ユニット１８０との間で各種の情報（電気信号）を受け渡すためのコネクタを適用してもよい。
【００６２】
次に、図１乃至図８で説明したエクステンダー内蔵型の補正レンズをリモートコントロールする態様について説明する。
【００６３】
図１６は、エクステンダー機構３６に組み込まれている補正レンズの挿入動作をリモートコントロールするテレビレンズシステムの概念図が示され、図１７には本システムに使用されるコントローラの一例が示されている。これらの図面に示すように、ズームレートデマンド２６上にエクステンダー切替用スイッチ２００と、オート／マニュアルのモード切替スイッチ２０２と、が設けられている。
【００６４】
ズームレートデマンド２６のケーブルコネクタ２１２をレンズ装置１４のコネクタ２１４に接続することにより、レンズ装置１４の制御回路８０とズームレードデマンド２６の制御回路２１８が電気的に接続される。エクステンダー切替用スイッチ２００は、エクステンダー切替信号を伝達する信号線２２１上に設けられ、スイッチの「ＯＮ」状態が「２倍（２×）」のエクステンダー切替信号に相当し、スイッチの「ＯＦＦ」状態が「１倍（１×）」のエクステンダー切替信号に相当する。このエクステンダー切替信号が図８で説明したフローチャート中の「エクステンダー切替信号」として制御回路８０に入力される。
【００６５】
モード切替スイッチ２０２は、防振ユニット装着信号を伝達する信号線２２３上に設けられ、スイッチの「ＯＮ」状態が「マニュアル（MANU) 」、スイッチの「ＯＦＦ」状態が「オート（AUTO) 」に対応している。
【００６６】
図１６に示したように、レンズ装置１４が防振ユニット装着判別装置７６を有し、防振ユニット１０接続時に防振ユニット装着判別装置７６からの装着信号によって防振ユニット１０の装着を自動判別できる構成を有している場合には、モード切替スイッチ２０２を「オート（AUTO）」に設定しておく。この場合は、ズームレートデマンド２６側から防振ユニット装着信号が出力されず、防振ユニット装着判別装置７６からの装着信号に基づいて防振ユニット１０の装着／非装着が自動判別される。なお、防振ユニット装着判別装置７６の具体例としては、図１５で説明した接点１９４を用いることができ、この場合、防振ユニット１０側に接点１９２と同様のものが設けられる。
【００６７】
カメラマンは、図１７に示したエクステンダー切替用スイッチ２００のツマミを撮影状況に応じて「２×」又は「１×」の位置に設定し、エクステンダーの倍率を切り替える。そして、防振ユニット１０を装着した状態では、エクステンダー切替用スイッチ２００を「２×」に設定すると、図８で説明したフローチャートに従って１．６倍の変換レンズ６８が挿入され、エクステンダー切替用スイッチ２００を「１×」に設定すると、０．８倍の変換レンズ６６が自動的に挿入される。
【００６８】
その一方、図１８に示すように、レンズ装置１４が防振ユニット装着判別装置７６を具備していない場合、すなわち、防振ユニット１０の装着／非装着を自動判別できない場合には、モード切替スイッチ２０２を「マニュアル（MANU) 」に設定する。これにより、ズームレートデマンド側の制御回路２１８からレンズ装置１４側に防振ユニット装着信号が供給され、レンズ装置１４の制御回路８０に防振ユニット装着信号が強制的に入力される。この状態で、エクステンダー切替用スイッチ２００を「２×」に設定すると、１．６倍の変換レンズ６８が挿入され、エクステンダー切替用スイッチ２００を「１×」に設定すると、０．８倍の変換レンズ６６が挿入される。
【００６９】
また、図には示さないが、上述したエクステンダー機構３６の自動制御による倍率補正の機能をＯＮ（有効）／ＯＦＦ（無効）切り替えできるスイッチをズームレートデマンド２６などの手元のコントローラに設けてもよい。更に、ターレット６０上に保持されている変換レンズ６２、６４、６６、又は６８のうち、使用する変換レンズを任意に選択できる選択スイッチをズームレートデマンド２６等に設ける態様も可能である。
【００７０】
図１６乃至図１８では、ズームレートデマンド２６に補正レンズのリモートコントロール用スイッチを付加した例を述べたが、ズームレートデマンド２６に限らず、フォーカスデマンド２５にリモートコントロール用スイッチを設けてもよい。また、カメラの操作パネルや雲台コントローラなどにリモートコントロール用スイッチを組み込むことも可能である。
【００７１】
上記実施の形態では、箱型のテレビレンズ装置（ＥＦＰレンズ装置）を例に説明したが、本発明はＥＮＧレンズなどの他のレンズ装置にも適用できる。
【００７２】
【発明の効果】
以上説明したように本発明に係るテレビレンズ装置によれば、防振ユニットによる拡大倍率を相殺するような倍率変換作用を有する補正レンズ系を撮影光軸上に付加する構成にしたので、防振ユニットの装着時にも非装着時と同等の結像サイズを得ることができる。これにより、レンズ装置本来の光学性能を確保できるとともに、防振ユニットの装着時にも非装着時と同等のレンズ操作が可能となり、カメラマンにとって防振ユニットの有無による操作性に違和感が無くなる。
【図面の簡単な説明】
【図１】本発明が適用されたテレビカメラ装置の斜視図
【図２】本発明が適用されたテレビカメラ装置の側面図
【図３】本例のテレビカメラ装置の光学系の構成図
【図４】図３に示したエクステンダー機構におけるターレットの正面図
【図５】エクステンダー倍率と補正レンズ系の倍率の対応関係を示す図表
【図６】本実施形態によるレンズ装置及び防振ユニットの要部構成を示すブロック図
【図７】レンズ装置に設けられた表示装置における表示例を示す図
【図８】本例のレンズ装置の動作例を示すフローチャート
【図９】外付け型の補正光学系の例を示す断面図
【図１０】図９に示した補正光学ユニットをレンズ装置に連結した様子を示す断面図
【図１１】図９に示した補正光学ユニットに設けられている接点の拡大図
【図１２】補正光学ユニットの装着／非装着を検出するための接点の構造を示す要部斜視図
【図１３】外付け型補正光学ユニットの他の形態例を示す断面図
【図１４】図１４（Ａ）は、図１３に示したレンズ装置のバヨネットマウントの正面図であり、図１４（Ｂ）は、図１３の矢印Ａ方向から見た図
【図１５】図１３に示した補正光学ユニットを接続したレンズ装置と防振ユニットとの連結構造を示す要部断面図
【図１６】エクステンダー機構に組み込まれている補正レンズの挿入動作をリモートコントロールするテレビレンズシステムの概念図
【図１７】図１６に示したテレビレンズシステムに使用されるコントローラの一例を示す図
【図１８】エクステンダー機構に組み込まれている補正レンズの挿入動作をリモートコントロールするテレビレンズシステムの概念図
【符号の説明】
１０…防振ユニット、１２…テレビカメラ装置、１４…レンズ装置、１６…カメラ本体、２６…ズームレートデマンド、３６…エクステンダー機構、６０…ターレット、６２，６４，６６，６８…変換レンズ、４２…可動レンズ、４６…防振レンズ群、７６…防振ユニット装着判別装置、７８…表示装置、８０…制御回路、１２０…補正光学ユニット、１２４…補正レンズ、２００…エクステンダー切替用スイッチ、２０２…モード切替スイッチ
【図１】
0004374763.tif 000002
【図２】
0004374763.tif 000003
【図３】
0004374763.tif 000004
【図４】
0004374763.tif 000005
【図５】
0004374763.tif 000006
【図６】
0004374763.tif 000007
【図７】
0004374763.tif 000008
【図８】
0004374763.tif 000009
【図９】
0004374763.tif 000010
【図１０】
0004374763.tif 000011
【図１１】
0004374763.tif 000012
【図１２】
0004374763.tif 000013
【図１３】
0004374763.tif 000014
【図１４】
0004374763.tif 000015
【図１５】
0004374763.tif 000016
【図１６】
0004374763.tif 000017
【図１７】
0004374763.tif 000018
【図１８】
0004374763.tif 000019